(57)【特許請求の範囲】
【請求項１】
人通用又は設備用の貫通孔を形成する貫通孔形成部材を有する鉄筋コンクリート造基
礎梁であって、
前記貫通孔形成部材の下にあって、間隔を有して平行に設けられた複数の第１の主筋
と、
前記貫通孔形成部材の上にあって、間隔を有して平行に設けられた複数の第２の主筋
と、
前記貫通孔形成部材に対して、正面視、前記貫通孔形成部材の周囲を取り囲むように
設けられた貫通孔周囲補強筋と、
前記貫通孔形成部材の下に位置する前記複数の第１の主筋を載置する第１のユニット
と、
前記貫通孔形成部材の上に位置し、前記複数の第２の主筋に載置される第２のユニッ
トとを備え、
前記貫通孔形成部材は、前記鉄筋コンクリート造基礎梁の長手方向を横断する方向に
設けられ、
前記第１のユニットは、略Ｕ字形状に形成された複数の略Ｕ字形状鉄筋と、この複数
の略Ｕ字形状鉄筋を間隔を有して平行に保持するために、前記複数の略Ｕ字形状鉄筋の並
設方向に平行に設けられると共に、前記複数の略Ｕ字形状鉄筋に接合された複数の第１の
直線状鉄筋とで一体化されたものであり、
前記第２のユニットは、略逆Ｕ字形状に形成された複数の略逆Ｕ字形状鉄筋と、この
複数の略逆Ｕ字形状鉄筋を間隔を有して平行に保持するために、前記複数の略逆Ｕ字形状
鉄筋の並設方向に平行に設けられると共に、前記複数の略逆Ｕ字形状鉄筋に接合された複
数の第２の直線状鉄筋とで一体化されたものであり、
前記第１のユニットの前記複数の略Ｕ字形状鉄筋のそれぞれの開放端部近傍に、複数
の略逆Ｕ字形状鉄筋が取り付けられ、
前記第２のユニットの前記複数の略逆Ｕ字形状鉄筋のそれぞれの開放端部近傍に、複
数の略Ｕ字形状鉄筋が取り付けられ、
前記貫通孔周囲補強筋は前記第１のユニットの前記複数の略Ｕ字形状鉄筋の内方から
前記第２のユニットの前記複数の略逆Ｕ字形状鉄筋の内方に至るように設置され、
前記貫通孔周囲補強筋は、第１の部材と第１’の部材を有し、
前記第１の部材は、第１の水平頂部と、この第１の水平頂部の下方に位置する第１、
第２の水平底部と、この第１の水平底部と前記第１の水平頂部を接続する第１の傾斜部と
、前記第２の水平底部と前記第１の水平頂部を接続する第２の傾斜部とを有し、前記第１
の傾斜部と前記第２の傾斜部とのなす角度は前記第１の水平頂部に向かって狭まる傾斜で
あり、
前記第１’の部材は、第１’の水平底部と、この第１’の水平底部の上方に位置する
第１’、第２’の水平頂部と、この第１’の水平頂部と前記第１’の水平底部を接続する
第１’の傾斜部と、前記第２’の水平頂部と前記第１’の水平底部を接続する第２’の傾
斜部とを有し、前記第１’の傾斜部と前記第２’の傾斜部とのなす角度は前記第１’の水
平底部に向かって狭まる傾斜であり、
正面視、前記第１の水平頂部の下方に前記第１’の水平底部が、前記第１の水平底部
の上方に前記第１’の水平頂部が、前記第２の水平底部の上方に前記第２’の水平頂部が
、それぞれ位置し、前記第１の傾斜部と前記第１’の傾斜部が、前記第２の傾斜部と前記
第２’の傾斜部が、それぞれ交差し、該交差した傾斜部と前記第１の水平頂部と前記第１
’の水平底部とで囲まれた部位の内方に貫通孔形成部材が位置している
ことを特徴とする鉄筋コンクリート造基礎梁。
【請求項２】
人通用又は設備用の貫通孔形成部材を有し、この貫通孔形成部材の下にあって、間隔
を有して平行に複数の第１の主筋を、前記貫通孔形成部材の上にあって、間隔を有して平
行に複数の第２の主筋を、それぞれ設け、前記貫通孔形成部材に対して、正面視、前記貫
通孔形成部材の周囲を貫通孔周囲補強筋で取り囲んで組み立てる鉄筋コンクリート造基礎
梁組立方法であって、
略Ｕ字形状に形成された複数の略Ｕ字形状鉄筋と、この複数の略Ｕ字形状鉄筋を間隔
を有して平行に保持するために、前記複数の略Ｕ字形状鉄筋の並設方向に平行に設けられ
ると共に、前記複数の略Ｕ字形状鉄筋に接合された複数の第１の直線状鉄筋とで一体化さ
れた第１のユニットと、
前記複数の略Ｕ字形状鉄筋のそれぞれの開放端部近傍に、取り付けられる複数の略逆
Ｕ字形状鉄筋と、
略逆Ｕ字形状に形成された複数の略逆Ｕ字形状鉄筋と、この複数の略逆Ｕ字形状鉄筋
を間隔を有して平行に保持するために、前記複数の略逆Ｕ字形状鉄筋の並設方向に平行に
設けられると共に、前記複数の略逆Ｕ字形状鉄筋に接合された複数の第２の直線状鉄筋と
で一体化された第２のユニットと、
前記複数の略逆Ｕ字形状鉄筋のそれぞれの開放端部近傍に、取り付けられる複数の略
Ｕ字形状鉄筋とを備え、
前記略Ｕ字形状鉄筋は、第１の水平鉄筋部と、この第１の水平鉄筋部の端部からそれ
ぞれ立ち上がる第１、第２の立上鉄筋部を有し、
前記略逆Ｕ字形状鉄筋は、第２の水平鉄筋部と、この第２の水平鉄筋部の端部からそ
れぞれ垂れ下がる第１、第２の立下鉄筋部を有し、
前記貫通孔形成部材の周囲に前記貫通孔周囲補強筋が設置される前であって、前記第
１のユニットの複数の前記第１の水平鉄筋部の上に前記複数の第１の主筋が位置すると共
に、前記第２のユニットの複数の前記第２の水平鉄筋部の下に前記複数の第２の主筋が位
置した状態は貫通孔周囲補強筋設置前状態であり、
この貫通孔周囲補強筋設置前状態時に、前記貫通孔周囲補強筋を前記第１のユニット
の前記複数の略Ｕ字形状鉄筋の内方から前記第２のユニットの前記複数の略逆Ｕ字形状鉄
筋の内方に至るように、前記貫通孔形成部材の周囲を前記貫通孔周囲補強筋で取り囲んで
組み立て、
該組み立て後、前記複数の略Ｕ字形状鉄筋の開放端部近傍に、それぞれ前記第１、第
２の立下鉄筋部を溶接又は結束部材により取り付けて、前記複数の略Ｕ字形状鉄筋の開放
端部をそれぞれ略環状に閉じるように形成し、該形成後、前記複数の略逆Ｕ字形状鉄筋の
開放端部近傍に、それぞれ前記第１、第２の立上鉄筋部を溶接又は結束部材により取り付
けて、前記複数の略逆Ｕ字形状鉄筋の開放端部をそれぞれ略環状に閉じるように形成する
ことを特徴とするコンクリート基礎梁組立方法。
【請求項３】
人通用又は設備用の貫通孔形成部材を有し、この貫通孔形成部材の下にあって、間隔
を有して平行に複数の第１の主筋を、前記貫通孔形成部材の上にあって、間隔を有して平
行に複数の第２の主筋を、それぞれ設け、前記貫通孔形成部材に対して、正面視、前記貫
通孔形成部材の周囲を貫通孔周囲補強筋で取り囲んで組み立てる鉄筋コンクリート造基礎
梁組立方法であって、
略Ｕ字形状に形成された複数の略Ｕ字形状鉄筋と、この複数の略Ｕ字形状鉄筋を間隔
を有して平行に保持するために、前記複数の略Ｕ字形状鉄筋の並設方向に平行に設けられ
ると共に、前記複数の略Ｕ字形状鉄筋に接合された複数の第１の直線状鉄筋とで一体化さ
れた第１のユニットと、
前記複数の略Ｕ字形状鉄筋のそれぞれの開放端部近傍に、取り付けられる複数の略逆
Ｕ字形状鉄筋と、
略逆Ｕ字形状に形成された複数の略逆Ｕ字形状鉄筋と、この複数の略逆Ｕ字形状鉄筋
を間隔を有して平行に保持するために、前記複数の略逆Ｕ字形状鉄筋の並設方向に平行に
設けられると共に、前記複数の略逆Ｕ字形状鉄筋に接合された複数の第２の直線状鉄筋と
で一体化された第２のユニットと、
前記複数の略逆Ｕ字形状鉄筋のそれぞれの開放端部近傍に、取り付けられる複数の略
Ｕ字形状鉄筋とを備え、
前記略Ｕ字形状鉄筋は、第１の水平鉄筋部と、この第１の水平鉄筋部の端部からそれ
ぞれ立ち上がる第１、第２の立上鉄筋部を有し、
前記略逆Ｕ字形状鉄筋は、第２の水平鉄筋部と、この第２の水平鉄筋部の端部からそ
れぞれ垂れ下がる第１、第２の立下鉄筋部を有し、
前記貫通孔形成部材の周囲に前記貫通孔周囲補強筋が設置される前であって、前記第
１のユニットの複数の前記第１の水平鉄筋部の上に前記複数の第１の主筋が位置すると共
に、前記第２のユニットの複数の前記第２の水平鉄筋部の下に前記複数の第２の主筋が位
置した状態は貫通孔周囲補強筋設置前状態であり、
この貫通孔周囲補強筋設置前状態時に、前記貫通孔周囲補強筋を前記第１のユニット
の前記複数の略Ｕ字形状鉄筋の内方から前記第２のユニットの前記複数の略逆Ｕ字形状鉄
筋の内方に至るように、前記貫通孔形成部材の周囲を前記貫通孔周囲補強筋で取り囲んで
組み立て、
該組み立て後、前記複数の略逆Ｕ字形状鉄筋の開放端部近傍に、それぞれ前記第１、
第２の立上鉄筋部を溶接又は結束部材により取り付けて、前記複数の略逆Ｕ字形状鉄筋の
開放端部をそれぞれ略環状に閉じるように形成し、該形成後、前記複数の略Ｕ字形状鉄筋
の開放端部近傍に、それぞれ前記第１、第２の立下鉄筋部を溶接又は結束部材により取り
付けて、前記複数の略Ｕ字形状鉄筋の開放端部をそれぞれ略環状に閉じるように形成する
ことを特徴とするコンクリート基礎梁組立方法。
【請求項４】
貫通孔周囲補強筋は、第１の部材と第１’の部材を有し、
前記第１の部材は、第１の水平頂部と、この第１の水平頂部の下方に位置する第１、
第２の水平底部と、この第１の水平底部と前記第１の水平頂部を接続する第１の傾斜部と
、前記第２の水平底部と前記第１の水平頂部を接続する第２の傾斜部とを有し、前記第１
の傾斜部と前記第２の傾斜部とのなす角度は前記第１の水平頂部に向かって狭まる傾斜で
あり、
前記第１’の部材は、第１’の水平底部と、この第１’の水平底部の上方に位置する
第１’、第２’の水平頂部と、この第１’の水平頂部と前記第１’の水平底部を接続する
第１’の傾斜部と、前記第２’の水平頂部と前記第１’の水平底部を接続する第２’の傾
斜部とを有し、前記第１’の傾斜部と前記第２’の傾斜部とのなす角度は前記第１’の水
平底部に向かって狭まる傾斜であり、
正面視、前記第１の水平頂部の下方に前記第１’の水平底部が、前記第１の水平底部
の上方に前記第１’の水平頂部が、前記第２の水平底部の上方に前記第２’の水平頂部が
、それぞれ位置し、前記第１の傾斜部と前記第１’の傾斜部が、前記第２の傾斜部と前記
第２’の傾斜部が、それぞれ交差し、該交差した傾斜部と前記第１の水平頂部と前記第１
’の水平底部とで囲まれた部位の内方に貫通孔形成部材が位置している
ことを特徴とする請求項２又は請求項３記載のコンクリート基礎梁組立方法。
【発明の詳細な説明】
【技術分野】
【０００１】
本発明は、鉄筋コンクリート造基礎梁及びコンクリート基礎梁組立方法に係り、特に、施工に要する時間を短くすることができる鉄筋コンクリート造基礎梁及びコンクリート基礎梁組立方法に関する。
【背景技術】
【０００２】
従来、人通用又は設備用として、円形の貫通孔を有する鉄筋コンクリート造基礎梁がある。
この鉄筋コンクリート造基礎梁の貫通孔を補強するために、貫通孔の上の主筋を環状に上部環状筋で、貫通孔の下の主筋を環状に下部環状筋で、それぞれ形成し、該形成後、斜め補強筋を貫通孔の上の主筋の内方から前記貫通孔の下の主筋の内方に至らしめると共に、貫通孔の周囲を、例えば、４本の斜め補強筋で囲むようにしている。
【発明の概要】
【発明が解決しようとする課題】
【０００３】
しかしながら、上述の斜め補強筋の施工にあっては、斜め補強筋を貫通孔の上の主筋の内方から貫通孔の下の主筋の内方に至るようにする際、上部環状筋と下部環状筋が邪魔となるため、斜め補強筋を上部環状筋と下部環状筋を避けるように配筋しなければならず、斜め補強筋の設置に時間と手間がかかるという問題点があった。
【０００４】
本発明は、上記の問題点を考慮しなされたもので、施工に要する時間を短くすることができる鉄筋コンクリート造基礎梁及びコンクリート基礎梁組立方法を提供することを目的とする。
【課題を解決するための手段】
【０００５】
請求項１記載の鉄筋コンクリート造基礎梁は、人通用又は設備用の貫通孔を形成する貫通孔形成部材を有する鉄筋コンクリート造基礎梁であって、前記貫通孔形成部材の下にあって、間隔を有して平行に設けられた複数の第１の主筋と、前記貫通孔形成部材の上にあって、間隔を有して平行に設けられた複数の第２の主筋と、前記貫通孔形成部材に対して、正面視、前記貫通孔形成部材の周囲を取り囲むように設けられた貫通孔周囲補強筋と、前記貫通孔形成部材の下に位置する前記複数の第１の主筋を載置する第１のユニットと、前記貫通孔形成部材の上に位置し、前記複数の第２の主筋に載置される第２のユニットとを備え、前記貫通孔形成部材は、前記鉄筋コンクリート造基礎梁の長手方向を横断する方向に設けられ、前記第１のユニットは、略Ｕ字形状に形成された複数の略Ｕ字形状鉄筋と、この複数の略Ｕ字形状鉄筋を間隔を有して平行に保持するために、前記複数の略Ｕ字形状鉄筋の並設方向に平行に設けられると共に、前記複数の略Ｕ字形状鉄筋に接合された複数の第１の直線状鉄筋とで一体化されたものであり、前記第２のユニットは、略逆Ｕ字形状に形成された複数の略逆Ｕ字形状鉄筋と、この複数の略逆Ｕ字形状鉄筋を間隔を有して平行に保持するために、前記複数の略逆Ｕ字形状鉄筋の並設方向に平行に設けられると共に、前記複数の略逆Ｕ字形状鉄筋に接合された複数の第２の直線状鉄筋とで一体化されたものであり、前記第１のユニットの前記複数の略Ｕ字形状鉄筋のそれぞれの開放端部近傍に、複数の略逆Ｕ字形状鉄筋が取り付けられ、前記第２のユニットの前記複数の略逆Ｕ字形状鉄筋のそれぞれの開放端部近傍に、複数の略Ｕ字形状鉄筋が取り付けられ、前記貫通孔周囲補強筋は前記第１のユニットの前記複数の略Ｕ字形状鉄筋の内方から前記第２のユニットの前記複数の略逆Ｕ字形状鉄筋の内方に至るように設置され、前記貫通孔周囲補強筋は、第１の部材と第１’の部材を有し、前記第１の部材は、第１の水平頂部と、この第１の水平頂部の下方に位置する第１、第２の水平底部と、この第１の水平底部と前記第１の水平頂部を接続する第１の傾斜部と、前記第２の水平底部と前記第１の水平頂部を接続する第２の傾斜部とを有し、前記第１の傾斜部と前記第２の傾斜部とのなす角度は前記第１の水平頂部に向かって狭まる傾斜であり、前記第１’の部材は、第１’の水平底部と、この第１’の水平底部の上方に位置する第１’、第２’の水平頂部と、この第１’の水平頂部と前記第１’の水平底部を接続する第１’の傾斜部と、前記第２’の水平頂部と前記第１’の水平底部を接続する第２’の傾斜部とを有し、前記第１’の傾斜部と前記第２’の傾斜部とのなす角度は前記第１’の水平底部に向かって狭まる傾斜であり、正面視、前記第１の水平頂部の下方に前記第１’の水平底部が、前記第１の水平底部の上方に前記第１’の水平頂部が、前記第２の水平底部の上方に前記第２’の水平頂部が、それぞれ位置し、前記第１の傾斜部と前記第１’の傾斜部が、前記第２の傾斜部と前記第２’の傾斜部が、それぞれ交差し、該交差した傾斜部と前記第１の水平頂部と前記第１’の水平底部とで囲まれた部位の内方に貫通孔形成部材が位置しているものである。
【０００７】
また、請求項２記載のコンクリート基礎梁組立方法は、人通用又は設備用の貫通孔形成部材を有し、この貫通孔形成部材の下にあって、間隔を有して平行に複数の第１の主筋を、前記貫通孔形成部材の上にあって、間隔を有して平行に複数の第２の主筋を、それぞれ設け、前記貫通孔形成部材に対して、正面視、前記貫通孔形成部材の周囲を貫通孔周囲補強筋で取り囲んで組み立てる鉄筋コンクリート造基礎梁組立方法であって、略Ｕ字形状に形成された複数の略Ｕ字形状鉄筋と、この複数の略Ｕ字形状鉄筋を間隔を有して平行に保持するために、前記複数の略Ｕ字形状鉄筋の並設方向に平行に設けられると共に、前記複数の略Ｕ字形状鉄筋に接合された複数の第１の直線状鉄筋とで一体化された第１のユニットと、前記複数の略Ｕ字形状鉄筋のそれぞれの開放端部近傍に、取り付けられる複数の略逆Ｕ字形状鉄筋と、略逆Ｕ字形状に形成された複数の略逆Ｕ字形状鉄筋と、この複数の略逆Ｕ字形状鉄筋を間隔を有して平行に保持するために、前記複数の略逆Ｕ字形状鉄筋の並設方向に平行に設けられると共に、前記複数の略逆Ｕ字形状鉄筋に接合された複数の第２の直線状鉄筋とで一体化された第２のユニットと、前記複数の略逆Ｕ字形状鉄筋のそれぞれの開放端部近傍に、取り付けられる複数の略Ｕ字形状鉄筋とを備え、前記略Ｕ字形状鉄筋は、第１の水平鉄筋部と、この第１の水平鉄筋部の端部からそれぞれ立ち上がる第１、第２の立上鉄筋部を有し、前記略逆Ｕ字形状鉄筋は、第２の水平鉄筋部と、この第２の水平鉄筋部の端部からそれぞれ垂れ下がる第１、第２の立下鉄筋部を有し、前記貫通孔形成部材の周囲に前記貫通孔周囲補強筋が設置される前であって、前記第１のユニットの複数の前記第１の水平鉄筋部の上に前記複数の第１の主筋が位置すると共に、前記第２のユニットの複数の前記第２の水平鉄筋部の下に前記複数の第２の主筋が位置した状態は貫通孔周囲補強筋設置前状態であり、この貫通孔周囲補強筋設置前状態時に、前記貫通孔周囲補強筋を前記第１のユニットの前記複数の略Ｕ字形状鉄筋の内方から前記第２のユニットの前記複数の略逆Ｕ字形状鉄筋の内方に至るように、前記貫通孔形成部材の周囲を前記貫通孔周囲補強筋で取り囲んで組み立て、該組み立て後、前記複数の略Ｕ字形状鉄筋の開放端部近傍に、それぞれ前記第１、第２の立下鉄筋部を溶接又は結束部材により取り付けて、前記複数の略Ｕ字形状鉄筋の開放端部をそれぞれ略環状に閉じるように形成し、該形成後、前記複数の略逆Ｕ字形状鉄筋の開放端部近傍に、それぞれ前記第１、第２の立上鉄筋部を溶接又は結束部材により取り付けて、前記複数の略逆Ｕ字形状鉄筋の開放端部をそれぞれ略環状に閉じるように形成するものである。
【０００８】
また、請求項３記載のコンクリート基礎梁組立方法は、人通用又は設備用の貫通孔形成部材を有し、この貫通孔形成部材の下にあって、間隔を有して平行に複数の第１の主筋を、前記貫通孔形成部材の上にあって、間隔を有して平行に複数の第２の主筋を、それぞれ設け、前記貫通孔形成部材に対して、正面視、前記貫通孔形成部材の周囲を貫通孔周囲補強筋で取り囲んで組み立てる鉄筋コンクリート造基礎梁組立方法であって、略Ｕ字形状に形成された複数の略Ｕ字形状鉄筋と、この複数の略Ｕ字形状鉄筋を間隔を有して平行に保持するために、前記複数の略Ｕ字形状鉄筋の並設方向に平行に設けられると共に、前記複数の略Ｕ字形状鉄筋に接合された複数の第１の直線状鉄筋とで一体化された第１のユニットと、前記複数の略Ｕ字形状鉄筋のそれぞれの開放端部近傍に、取り付けられる複数の略逆Ｕ字形状鉄筋と、略逆Ｕ字形状に形成された複数の略逆Ｕ字形状鉄筋と、この複数の略逆Ｕ字形状鉄筋を間隔を有して平行に保持するために、前記複数の略逆Ｕ字形状鉄筋の並設方向に平行に設けられると共に、前記複数の略逆Ｕ字形状鉄筋に接合された複数の第２の直線状鉄筋とで一体化された第２のユニットと、前記複数の略逆Ｕ字形状鉄筋のそれぞれの開放端部近傍に、取り付けられる複数の略Ｕ字形状鉄筋とを備え、前記略Ｕ字形状鉄筋は、第１の水平鉄筋部と、この第１の水平鉄筋部の端部からそれぞれ立ち上がる第１、第２の立上鉄筋部を有し、前記略逆Ｕ字形状鉄筋は、第２の水平鉄筋部と、この第２の水平鉄筋部の端部からそれぞれ垂れ下がる第１、第２の立下鉄筋部を有し、前記貫通孔形成部材の周囲に前記貫通孔周囲補強筋が設置される前であって、前記第１のユニットの複数の前記第１の水平鉄筋部の上に前記複数の第１の主筋が位置すると共に、前記第２のユニットの複数の前記第２の水平鉄筋部の下に前記複数の第２の主筋が位置した状態は貫通孔周囲補強筋設置前状態であり、
この貫通孔周囲補強筋設置前状態時に、前記貫通孔周囲補強筋を前記第１のユニットの前記複数の略Ｕ字形状鉄筋の内方から前記第２のユニットの前記複数の略逆Ｕ字形状鉄筋の内方に至るように、前記貫通孔形成部材の周囲を前記貫通孔周囲補強筋で取り囲んで組み立て、該組み立て後、前記複数の略逆Ｕ字形状鉄筋の開放端部近傍に、それぞれ前記第１、第２の立上鉄筋部を溶接又は結束部材により取り付けて、前記複数の略逆Ｕ字形状鉄筋の開放端部をそれぞれ略環状に閉じるように形成し、該形成後、前記複数の略Ｕ字形状鉄筋の開放端部近傍に、それぞれ前記第１、第２の立下鉄筋部を溶接又は結束部材により取り付けて、前記複数の略Ｕ字形状鉄筋の開放端部をそれぞれ略環状に閉じるように形成するものである。
【０００９】
また、請求項４記載のコンクリート基礎梁組立方法は、請求項２又は請求項３記載のコンクリート基礎梁組立方法において、貫通孔周囲補強筋は、第１の部材と第１’の部材を有し、前記第１の部材は、第１の水平頂部と、この第１の水平頂部の下方に位置する第１、第２の水平底部と、この第１の水平底部と前記第１の水平頂部を接続する第１の傾斜部と、前記第２の水平底部と前記第１の水平頂部を接続する第２の傾斜部とを有し、前記第１の傾斜部と前記第２の傾斜部とのなす角度は前記第１の水平頂部に向かって狭まる傾斜であり、前記第１’の部材は、第１’の水平底部と、この第１’の水平底部の上方に位置する第１’、第２’の水平頂部と、この第１’の水平頂部と前記第１’の水平底部を接続する第１’の傾斜部と、前記第２’の水平頂部と前記第１’の水平底部を接続する第２’の傾斜部とを有し、前記第１’の傾斜部と前記第２’の傾斜部とのなす角度は前記第１’の水平底部に向かって狭まる傾斜であり、正面視、前記第１の水平頂部の下方に前記第１’の水平底部が、前記第１の水平底部の上方に前記第１’の水平頂部が、前記第２の水平底部の上方に前記第２’の水平頂部が、それぞれ位置し、前記第１の傾斜部と前記第１’の傾斜部が、前記第２の傾斜部と前記第２’の傾斜部が、それぞれ交差し、該交差した傾斜部と前記第１の水平頂部と前記第１’の水平底部とで囲まれた部位の内方に貫通孔形成部材が位置しているものである。
【発明の効果】
【００１０】
請求項１記載の鉄筋コンクリート造基礎梁によれば、第１のユニットの複数の略Ｕ字形状鉄筋のそれぞれの開放端部近傍に複数の略逆Ｕ字形状鉄筋が、第２のユニットの複数の略逆Ｕ字形状鉄筋のそれぞれの開放端部近傍に複数の略Ｕ字形状鉄筋が、それぞれ取り付けられる前に、第１のユニットの複数の略Ｕ字形状鉄筋の内方から第２のユニットの複数の略逆Ｕ字形状鉄筋の内方に至るように貫通孔周囲補強筋を設置することができるため、貫通孔周囲補強筋の一部を第１のユニット及び第２のユニットの内方へ位置させることが容易となり、施工に要する時間を短くすることができる。
【００１１】
また、請求項２記載のコンクリート基礎梁組立方法によれば、貫通孔周囲補強筋設置前状態時に、貫通孔周囲補強筋を第１のユニットの複数の略Ｕ字形状鉄筋の内方から第２のユニットの複数の略逆Ｕ字形状鉄筋の内方に至るようにして、貫通孔形成部材の周囲を前記貫通孔周囲補強筋で取り囲んで組み立てるため、つまり、第１のユニットの上部及び第２のユニットの下部が、それぞれ開放されているため、貫通孔周囲補強筋の一部を第１のユニット及び第２のユニットの内方へ位置させることが容易となり、施工に要する時間を短くすることができる。
【００１２】
また、請求項３記載のコンクリート基礎梁組立方法によれば、貫通孔周囲補強筋設置前状態時に、貫通孔周囲補強筋を第１のユニットの複数の略Ｕ字形状鉄筋の内方から第２のユニットの複数の略逆Ｕ字形状鉄筋の内方に至るようにして、貫通孔形成部材の周囲を前記貫通孔周囲補強筋で取り囲んで組み立てるため、つまり、第１のユニットの上部及び第２のユニットの下部が、それぞれ開放されているため、貫通孔周囲補強筋の一部を第１のユニット及び第２のユニットの内方へ位置させることが容易となり、施工に要する時間を短くすることができる。
【図面の簡単な説明】
【００１３】
【図１】図１は、本発明の一実施例の鉄筋コンクリート造基礎梁の配筋状態の概略的斜視図である。
【図２】図２は、図１の鉄筋コンクリート造基礎梁の概略的正面図である。
【図３】図３は、図２の３−３線による概略的断面図である。
【図４】図４は、図１の鉄筋コンクリート造基礎梁を組み立てる鉄筋コンクリート造基礎梁組立方法の一部の概略的斜視図であり、第１のユニットを設置面に載置したものである。
【図５】図５は、図４の第１のユニットの第１の水平鉄筋部の上に複数の第１の主筋を位置させた状態の概略的斜視図である。
【図６】図６は、図５の複数の第１の主筋の上に複数の第２の主筋を位置させると共に、該複数の第２の主筋に第２のユニットを装着させる前後の状態の概略的斜視図である。
【図７】図７は、図６の第１のユニットと第２のユニットに軸方向補強筋をそれぞれ装着させた状態の概略的斜視図である。
【図８】図８は、図７の第１のユニットの内方と第２のユニットの内方との間に貫通孔周囲補強筋を位置させた状態の概略的斜視図である。
【図９】図９は、図８の９−９線による概略的断面図である。
【図１０】図１０は、図８の第１のユニットの開放端部と第２のユニットの開放端部とに、それぞれを閉じる部材を取り付けた状態の概略的斜視図である。
【図１１】図１１は、図１０の１１−１１線による概略的断面図である。
【図１２】図１２は、図８の第１のユニットの略Ｕ字形状鉄筋の開放端部を閉じる前の状態の概略的斜視図である。
【図１３】図１３は、図１２の概略的断面図である。
【図１４】図１４は、図８の第１のユニットの略Ｕ字形状鉄筋の開放端部を閉じた状態の概略的断面図である。
【図１５】図１５は、図１４と異なる他の実施例の概略的断面図である。
【図１６】図１６は、図８の第２のユニットの略逆Ｕ字形状鉄筋の開放端部を閉じる前の状態の概略的斜視図である。
【図１７】図１７は、図１６の概略的断面図である。
【図１８】図１８は、図８の第２のユニットの略逆Ｕ字形状鉄筋の開放端部を閉じた状態の概略的断面図である。
【図１９】図１９は、図１８と異なる他の実施例の概略的断面図である。
【発明を実施するための形態】
【００１４】
本発明の一実施例の鉄筋コンクリート造基礎梁及びコンクリート基礎梁組立方法を図面を参照して説明する。
図１に示すＴは鉄筋コンクリート造基礎梁で、鉄筋コンクリート造基礎梁Ｔは、人通用又は設備用の貫通孔を形成する貫通孔形成部材１と、この貫通孔形成部材１の下にあって、間隔を有して平行に設けられた複数の第１の主筋２と、貫通孔形成部材１の上にあって、間隔を有して平行に設けられた複数の第２の主筋３と、貫通孔形成部材１に対して、正面視（図２参照）、貫通孔形成部材１の周囲を取り囲むように設けられた貫通孔周囲補強筋４と、軸方向補強筋５とを有している。１０は、肋筋である。
なお、貫通孔形成部材１は、鉄筋コンクリート造基礎梁Ｔの長手方向を横断する方向に設けられ、図３に示すように、中実体の場合、コンクリートが固化した場合、抜き去るものである。また、貫通孔形成部材１は、図示しないが鋼管でも良い。
また、複数の第１の主筋２は、例えば、第１の主筋２１、２１で構成され、複数の第２の主筋３は、例えば、第２の主筋３１、３１で構成されている。
【００１５】
また、図４に示す６は第１のユニットで、第１のユニット６は、貫通孔形成部材１の下に位置する複数の第１の主筋２を載置するもので、第１のユニット６は、略Ｕ字形状に形成された複数の略Ｕ字形状鉄筋６１と、この複数の略Ｕ字形状鉄筋６１を間隔を有して平行に保持するために、複数の略Ｕ字形状鉄筋６１の並設方向に平行に設けられると共に、複数の略Ｕ字形状鉄筋６１に接合された複数の第１の直線状鉄筋６２とで一体化されたものである。
また、第１のユニット６の複数の略Ｕ字形状鉄筋６１のそれぞれの開放端部近傍には、図１２〜図１５に示すように、複数の略逆Ｕ字形状鉄筋６３が取り付けられ、略逆Ｕ字形状鉄筋６３は、第２の水平鉄筋部６３ａと、この第２の水平鉄筋部６３ａの端部からそれぞれ垂れ下がる第１、第２の立下鉄筋部６３ｂ、６３ｃを有している。
【００１６】
また、図６に示す７は第２のユニットで、第２のユニット７は、貫通孔形成部材１の上に位置し、複数の第２の主筋３に載置されるもので、第２のユニット７は、略逆Ｕ字形状に形成された複数の略逆Ｕ字形状鉄筋７１と、この複数の略逆Ｕ字形状鉄筋７１を間隔を有して平行に保持するために、複数の略逆Ｕ字形状鉄筋７１の並設方向に平行に設けられると共に、複数の略逆Ｕ字形状鉄筋７１に接合された第２の直線状鉄筋７２とで一体化されたものである。
また、第２のユニット７の複数の略逆Ｕ字形状鉄筋７１のそれぞれの開放端部近傍には、図１６〜図１９に示すように、複数の略Ｕ字形状鉄筋７３が取り付けられ、略Ｕ字形状鉄筋７３は、第１の水平鉄筋部７３ａと、この第１の水平鉄筋部７３ａの端部からそれぞれ立ち上がる第１、第２の立上鉄筋部７３ｂ、７３ｃを有している。
【００１７】
また、貫通孔周囲補強筋４は第１のユニット６の複数の略Ｕ字形状鉄筋６１の内方から第２のユニット７の複数の略逆Ｕ字形状鉄筋７１の内方に至るように設置されているもので、貫通孔周囲補強筋４は、図２に示すように、例えば、第１の部材４１と第１’の部材４２を有し、第１の部材４１は、第１の水平頂部４１ａと、この第１の水平頂部４１ａの下方に位置する第１、第２の水平底部４１ｂ、４１ｃと、この第１の水平底部４１ｂと第１の水平頂部４１ａを接続する第１の傾斜部４１ｄと、第２の水平底部４１ｃと第１の水平頂部４１ａを接続する第２の傾斜部４１ｅとを有し、第１の傾斜部４１ｄと第２の傾斜部４１ｅとのなす角度は第１の水平頂部４１ａに向かって狭まる傾斜となっている。
また、第１’の部材４２は、第１’の水平底部４２ａと、この第１’の水平底部４２ａの上方に位置する第１’、第２’の水平頂部４２ｂ、４２ｃと、この第１’の水平頂部４２ｂと第１’の水平底部４２ａを接続する第１’の傾斜部４２ｄと、第２’の水平頂部４２ｃと第１’の水平底部４２ａを接続する第２’の傾斜部４２ｅとを有し、第１’の傾斜部４２ｄと第２’の傾斜部４２ｅとのなす角度は第１’の水平底部４２ａに向かって狭まる傾斜となっている。
そして、正面視（図２参照）、第１の水平頂部４１ａの下方に第１’の水平底部４２ａが、第１の水平底部４１ｂの上方に第１’の水平頂部４２ｂが、第２の水平底部４１ｃの上方に第２’の水平頂部４２ｃが、それぞれ位置し、第１の傾斜部４１ｄと第１’の傾斜部４２ｄが、第２の傾斜部４１ｅと第２’の傾斜部４２ｅが、それぞれ交差し、該交差した傾斜部と第１の水平頂部４１ａと第１’の水平底部４２ａとで囲まれた部位の内方に貫通孔形成部材１が位置している。
なお、第１の部材４１に第１の水平頂部４１ａを設けているが、第１の水平頂部４１ａをなくして、第１の部材４１の第１の傾斜部４１ｄの先端と第１の部材４１の第２の傾斜部４１ｅの先端とを接続するようにしても良い。同様に、第１’の部材４２に第１’の水平底部４２ａを設けているが、第１’の水平底部４２ａをなくして、第１’の部材４２の第１’の傾斜部４２ｄの先端と第１’の部材４２の第２’の傾斜部４２ｅの先端とを接続するようにしても良い。
【００１８】
上述した鉄筋コンクリート造基礎梁Ｔの組立方法について、以下説明する。
先ず、貫通孔形成部材１の周囲に貫通孔周囲補強筋４が設置される前、この状態を貫通孔周囲補強筋設置前状態と定義する。貫通孔周囲補強筋設置前状態は、例えば、第１のユニット６の複数の第１の水平鉄筋部の上に複数の第１の主筋２１、２１が位置する（図５参照）と共に、第２のユニット７の複数の第２の水平鉄筋部の下に複数の第２の主筋３１，３１が位置した状態(図６及び図７参照)である。なお、図７の状態にあっては、複数の第２の主筋３１，３１は、図示しない手段で高さを保持され、上方に位置する軸方向補強筋５は、複数の第２の直線状鉄筋７２に、下方に位置する軸方向補強筋５は、複数の第１の直線状鉄筋６２に、それぞれ結束部材により取り付けられている。また、第１の主筋２１、２１、第２の主筋３１、３１は、肋筋１０で囲まれている。
貫通孔周囲補強筋設置前状態時（例えば、図７参照）に、貫通孔周囲補強筋４を前方又は後方又は側方から入れると共に、第１のユニット６の複数の略Ｕ字形状鉄筋６１の内方から第２のユニット７の複数の略逆Ｕ字形状鉄筋７１の内方に至るように、貫通孔形成部材１の周囲を貫通孔周囲補強筋４で取り囲んで、例えば、軸方向補強筋５に結束部材（図示せず）を介して固定して組み立てる（図８参照）。
該組み立て後、図１２〜図１５に示すように、複数の略Ｕ字形状鉄筋６１の開放端部近傍に、それぞれ第１、第２の立下鉄筋部６３ｂ、６３ｃを図示しない結束部材（又は溶接）により取り付けて、複数の略Ｕ字形状鉄筋６１の開放端部をそれぞれ略環状に閉じるように形成する（図１４及び図１５参照)。閉じる際、図１２に示すように、第１、第２の立下鉄筋部６３ｂ、６３ｃの向きを交互に代えるのが望ましい。該形成後、図１６〜図１９に示すように、複数の略逆Ｕ字形状鉄筋７１の開放端部近傍に、それぞれ第１、第２の立上鉄筋部７３ｂ、７３ｃを結束部材（又は溶接）により取り付けて、複数の略逆Ｕ字形状鉄筋７１の開放端部をそれぞれ略環状に閉じるように形成する（図１８及び図１９参照)。閉じる際、図１６に示すように、第１、第２の立上鉄筋部７３ｂ、７３ｃの向きを交互に代えるのが望ましい。該形成後、図１に示す鉄筋コンクリート造基礎梁Ｔを図示しない型部材で挟持し、コンクリートを流し込んで、施工を終了する。
【００１９】
従って、このコンクリート基礎梁組立方法によれば、貫通孔周囲補強筋設置前状態時に、貫通孔周囲補強筋４を第１のユニット６の複数の略Ｕ字形状鉄筋６１の内方から第２のユニット７の複数の略逆Ｕ字形状鉄筋７１の内方に至るようにして、貫通孔形成部材１の周囲を貫通孔周囲補強筋４で取り囲んで組み立てるため、つまり、第１のユニット６の上部及び第２のユニット７の下部が、それぞれ開放されているため、貫通孔周囲補強筋４の一部を第１のユニット６及び第２のユニット７の内方へ位置させることが容易となり、施工に要する時間を短くすることができる。
【００２０】
なお、上述した実施例においては、複数の略Ｕ字形状鉄筋６１の開放端部近傍に、それぞれ第１、第２の立下鉄筋部６３ｂ、６３ｃを図示しない結束部材（又は溶接）により取り付けて、複数の略Ｕ字形状鉄筋６１の開放端部をそれぞれ略環状に閉じるように形成する（図１４及び図１５参照)。該形成後、図１６〜図１９に示すように、複数の略逆Ｕ字形状鉄筋７１の開放端部近傍に、それぞれ第１、第２の立上鉄筋部７３ｂ、７３ｃを図示しない結束部材（又は溶接）により取り付けて、複数の略逆Ｕ字形状鉄筋７１の開放端部をそれぞれ略環状に閉じるように形成する（図１８及び図１９参照)ようにしたが、逆に構成しても良い。
即ち、複数の略逆Ｕ字形状鉄筋７１の開放端部近傍に、それぞれ第１、第２の立上鉄筋部７３ｂ、７３ｃを図示しない結束部材（又は溶接）により取り付けて、複数の略逆Ｕ字形状鉄筋７１の開放端部をそれぞれ略環状に閉じるように形成する（図１８及び図１９参照)。
該形成後、複数の略Ｕ字形状鉄筋６１の開放端部近傍に、それぞれ第１、第２の立下鉄筋部６３ｂ、６３ｃを図示しない結束部材（又は溶接）により取り付けて、複数の略Ｕ字形状鉄筋６１の開放端部をそれぞれ略環状に閉じるように形成する（図１４及び図１５参照)ようにしても良い。
【符号の説明】
【００２１】
Ｔ      鉄筋コンクリート造基礎梁
４      貫通孔周囲補強筋
６      第１のユニット
７      第２のユニット
【図１】
0005711938.tif 000002
【図２】
0005711938.tif 000003
【図３】
0005711938.tif 000004
【図４】
0005711938.tif 000005
【図５】
0005711938.tif 000006
【図６】
0005711938.tif 000007
【図７】
0005711938.tif 000008
【図８】
0005711938.tif 000009
【図９】
0005711938.tif 000010
【図１０】
0005711938.tif 000011
【図１１】
0005711938.tif 000012
【図１２】
0005711938.tif 000013
【図１３】
0005711938.tif 000014
【図１４】
0005711938.tif 000015
【図１５】
0005711938.tif 000016
【図１６】
0005711938.tif 000017
【図１７】
0005711938.tif 000018
【図１８】
0005711938.tif 000019
【図１９】
0005711938.tif 000020